(57)【要約】  再生部（９、２７、３１）は、コンテンツを再生する。時刻取得部（１０、２８、３２）は、番組の区切りの時刻（ｔ４、ｔ５）を取得する。タイマ制御部（１１、２９、３３）は、時刻取得部（１０、２８、３２）によって取得された区切りの時刻（ｔ４）がタイマの設定に基づく第１の時刻（ｔａ）から第２の時刻（ｔｂ）までの設定時間（Ｍ）に含まれる場合、その区切りの時刻（ｔ４）に、再生部（９、２７、３１）による再生の終了処理を開始する。
2012153801.tif 000002
【特許請求の範囲】
【請求項１】
コンテンツを再生する再生部と、
前記コンテンツの区切りの時刻を取得する時刻取得部と、
前記時刻取得部によって取得された前記区切りの時刻がタイマの設定に基づく第１の時刻から第２の時刻までの設定時間に含まれる場合、その区切りの時刻に、前記再生部による再生の終了処理を開始するタイマ制御部と、
を備える再生装置。
【請求項２】
前記タイマ制御部は、
前記時刻取得部によって取得された前記区切りの時刻が、前記設定時間に複数含まれる場合、前記第２の時刻の直前の前記区切りの時刻に、前記再生部による再生の終了処理を開始する、
ことを特徴とする請求項１に記載の再生装置。
【請求項３】
前記タイマ制御部は、
前記時刻取得部によって取得された前記区切りの時刻が、前記設定時間に含まれない場合、前記第２の時刻の直後の前記区切りの時刻に、前記再生部による再生の終了処理を開始する、
ことを特徴とする請求項１又は２に記載の再生装置。
【請求項４】
前記タイマ制御部は、
前記設定時間に含まれる前記区切りの時刻に前記終了処理を開始した場合、前記コンテンツとともに、前記コンテンツの再生を終了する旨の情報を再生し、
前記コンテンツの再生を終了する旨の操作入力があると、前記再生部による再生を終了し、
前記コンテンツの再生を終了する旨の情報を再生した後、所定時間内に前記操作入力がなければ、前記再生部による再生を終了する、
ことを特徴とする請求項１乃至３のいずれか一項に記載の再生装置。
【請求項５】
前記タイマ制御部は、
前記コンテンツの再生を継続する旨の操作入力があると、前記第２の時刻に前記再生部による再生を終了する、
ことを特徴とする請求項４に記載の再生装置。
【請求項６】
前記再生部は、
前記コンテンツの区切りを検出し、
前記タイマ制御部は、
前記再生部が前記区切りを検出した時刻と、前記設定時間に含まれる前記区切りの時刻との間が、所定時間以内であった場合、前記終了処理を開始する、
ことを特徴とする請求項１乃至５のいずれか一項に記載の再生装置。
【請求項７】
コンテンツを再生する再生工程と、
前記コンテンツの区切りの時刻を取得する時刻取得工程と、
前記時刻取得工程において取得された前記区切りの時刻がタイマの設定に基づく第１の時刻から第２の時刻までの設定時間に含まれる場合、その区切りの時刻に、前記再生工程における再生の終了処理を開始するタイマ制御工程と、
を含む再生方法。
【請求項８】
コンピュータを、
コンテンツを再生する再生部、
前記コンテンツの区切りの時刻を取得する時刻取得部、
前記時刻取得部によって取得された前記区切りの時刻がタイマの設定に基づく第１の時刻から第２の時刻までの設定時間に含まれる場合、その区切りの時刻に、前記再生部による再生の終了処理を開始するタイマ制御部、
として機能させるプログラムを記録したコンピュータ読取可能な記録媒体。
【発明の詳細な説明】
【技術分野】
【０００１】
本発明は、コンテンツを再生する再生装置、再生方法及び記録媒体に関する。
【背景技術】
【０００２】
近年、コンテンツ等を再生可能な携帯端末等の再生装置は、多機能化、小型化、軽量化されている。このため、再生装置は、電池の容量等が制限されることから、再生装置の消費電力の抑制が求められている。消費電力を抑制するための一策として、所定の時刻に自動的に動作を停止する、いわゆるオフタイマ機能が用いられている（例えば、特許文献１参照）。特許文献１に開示されたテレビジョン受像機は、ユーザによるテレビの視聴時間帯を解析して、この時間帯を外れると、電源オフの制御を行う。さらに、このテレビジョン受像機は、番組の視聴中に電源オフの時刻が経過すると、その番組の終了後に電源をオフにする。このため、テレビジョン受像機では、番組視聴を途中で妨げられないため、使用者は快適に番組視聴を楽しむことができる。
【先行技術文献】
【特許文献】
【０００３】
【特許文献１】特開２００４−３４９９４６号公報
【発明の概要】
【発明が解決しようとする課題】
【０００４】
しかし、上記特許文献１に記載のテレビジョン受像機では、番組の視聴中に電源オフの時刻が経過した場合、使用者が眠ってしまってその番組を見ていなくても、その番組が終了するまで電源をオフにしないので、その間の消費電力が無駄になる。【０００５】
本発明は、上記実情に鑑みてなされたものであり、使用者に不快感を与えずに消費電力をさらに抑制できる再生装置、再生方法及び記録媒体を提供することを目的とする。
【課題を解決するための手段】
【０００６】
上記目的を達成するため、本発明の第１の観点に係る再生装置は、
コンテンツを再生する再生部と、
前記コンテンツの区切りの時刻を取得する時刻取得部と、
前記時刻取得部によって取得された前記区切りの時刻がタイマの設定に基づく第１の時刻から第２の時刻までの設定時間に含まれる場合、その区切りの時刻に、前記再生部による再生の終了処理を開始するタイマ制御部と、
を備える。【０００７】
また、本発明の第２の観点に係る再生方法は、
コンテンツを再生する再生工程と、
前記コンテンツの区切りの時刻を取得する時刻取得工程と、
前記時刻取得工程において取得された前記区切りの時刻がタイマの設定に基づく第１の時刻から第２の時刻までの設定時間に含まれる場合、その区切りの時刻に、前記再生工程における再生の終了処理を開始するタイマ制御工程と、
を含む。【０００８】
また、本発明の第３の観点に係るコンピュータ読取可能な記録媒体は、
コンピュータを、
コンテンツを再生する再生部、
前記コンテンツの区切りの時刻を取得する時刻取得部、
前記時刻取得部によって取得された前記区切りの時刻がタイマの設定に基づく第１の時刻から第２の時刻までの設定時間に含まれる場合、その区切りの時刻に、前記再生部による再生の終了処理を開始するタイマ制御部、
として機能させるプログラムを記録したことを特徴とする。
【発明の効果】
【０００９】
本発明によれば、コンテンツの再生が途中で終了されず、設定時間よりも早めに再生が終了されるので、使用者に不快感を与えずに消費電力をさらに抑制できる。
【図面の簡単な説明】
【００１０】
【図１】実施形態１に係る再生装置の構成を示すブロック図である。
【図２】図２（Ａ）は、実施形態１で再生されるコンテンツの時系列を示す図（その１）である。図２（Ｂ）は、実施形態１で再生されるコンテンツの時系列を示す図（その２）である。図２（Ｃ）は、実施形態１で再生されるコンテンツの時系列を示す図（その３）である。
【図３】図１の再生装置で再生される確認画面の一例を示す図である。
【図４】実施形態１、２におけるタイマ制御処理のフローチャートである。
【図５】実施形態１、２における処理開始時刻の設定のフローチャートである。
【図６】実施形態１、２における再生終了処理のフローチャートである。
【図７】実施形態２に係る再生装置の構成を示すブロック図である。
【図８】実施形態２で再生される楽曲の時系列を示す図である。
【図９】実施形態３に係る再生装置の構成を示すブロック図である。
【図１０】実施形態３におけるタイマ制御処理のフローチャートである。
【発明を実施するための形態】
【００１１】
（実施形態１）
本発明の実施形態について、図面を参照して詳細に説明する。実施形態１に係る再生装置１００は、携帯電話・移動体端末向けの１セグメント部分受信サービス（以下、単に「ワンセグ」とする）を享受可能な装置である。ワンセグは、主に携帯端末等の移動局を受信対象とする地上デジタルテレビ放送である。再生装置１００は、放送局から配信されるテレビ放送信号を受信する。再生装置１００は、受信したテレビ放送信号に基づいて、コンテンツとしての番組、コマーシャルメッセージ（以下、単に「ＣＭ」とする）等を再生する。また、再生装置１００は、テレビ放送信号の他に、放送局から配信されるデータ放送信号を受信する。このデータ放送信号には、放送局名、番組のタイトル、番組の開始時刻、番組の終了時刻等の番組情報を含むＥＰＧ（Electric Program Guide）データ等が含まれる。
【００１２】
再生装置１００は、タイマ機能を備える。使用者が再生装置１００に設定時間を入力すると、再生装置１００は、入力された時刻（第１の時刻、以下、単に「タイマ開始時刻」とする）から設定時間経過後の時刻（第２の時刻、以下、単に「タイマ満了時刻」とする）にコンテンツの再生が終了する。例えば、使用者は、番組視聴中に眠気を感じたとき等にタイマを設定する。こうすることで、もし使用者が番組を再生したまま眠ってしまっても、再生装置１００では、タイマ満了時刻に番組の再生が終了するので、番組の長時間の無駄な再生を防止することができる。
【００１３】
図１を参照して、本実施形態に係る再生装置１００の構成について説明する。再生装置１００は、チューナ１と、デコーダ２と、音声出力部３と、表示部４と、計時部５と、操作部６と、記憶部７と、制御部８とを備える。
【００１４】
チューナ１は、アンテナ（不図示）を介して、放送局（不図示）から配信されるテレビ放送信号等を受信する。デコーダ２は、チューナ１で受信したテレビ放送信号を映像／音声信号に復調する。デコーダ２は、映像信号、音声信号をそれぞれ音声出力部３、表示部４に出力する。デコーダ２は、チューナ１で受信したデータ放送信号に含まれるＥＰＧデータから放送局名、番組のタイトル、番組の開始時刻、番組の終了時刻を抽出して、制御部８に出力する。
【００１５】
音声出力部３は、例えば、スピーカ等（不図示）を備える。音声出力部３は、デコーダ２で復調された音声信号に基づいて、音声をスピーカから出力する。
【００１６】
表示部４は、例えば、液晶ディスプレイ等（不図示）を備える。表示部４は、デコーダ２で復調された映像信号又は制御部８から出力されたデータに基づいて、映像を液晶ディスプレイに表示する。
【００１７】
計時部５は、計時を行う。計時部５は、計時により取得した時刻を制御部８に出力する。
【００１８】
操作部６は、キーボタン、スイッチボタン等（いずれも不図示）を備える。操作部６は、使用者によって入力された操作に対応する操作入力信号を制御部８に出力する。例えば、操作入力信号には、再生装置１００の電源オンオフ、オフタイマ機能における設定時間の設定、音量の変更、画質の変更、チャンネルの変更等に対応するものがある。なお、操作部６がリモートコントローラ（以下、単に「リモコン」とする）信号受信部（不図示）を備え、使用者によるリモコン（不図示）での遠隔操作を可能にしてもよい。
【００１９】
記憶部７は、例えば、ＲＯＭ（Read Only Memory）、ＲＡＭ（Random Access Memory）等の読み書き可能なメモリ（不図示）を備える。記憶部７は、各種プログラム、データ等を記憶する。記憶部７は、ＥＰＧデータに含まれる番組情報に基づいて生成された番組表データベースを記憶する。
【００２０】
制御部８は、ＣＰＵ（Central Processing Unit、不図示）を備え、ＣＰＵが記憶部７に記憶された各種プログラムを実行することにより、再生装置１００を統括的に制御するとともに、下記の各処理を実行する。制御部８は、計時部５から出力される時刻に基づいて、下記の各処理を実行する。
【００２１】
制御部８は、番組情報に基づいて番組表データベースを生成する。制御部８は、生成した番組表データベースを記憶部７に記憶させる。
【００２２】
制御部８は、再生部９と、時刻取得部１０と、タイマ制御部１１とを備える。再生部９は、コンテンツを再生する。より詳細には、再生部９は、デコーダ２、音声出力部３、表示部４を制御することによって、放送局より配信された番組、ＣＭを再生する。また、再生部９は、コンテンツの区切りを検出する。より詳細には、再生部９は、チューナ１を介して受信したテレビ放送信号を解析して、コンテンツの区切りを検出する。図２（Ａ）を参照すると、再生部９は、時刻ｔ１、ｔ２、ｔ３、ｔ４、ｔ５において区切りを検出する。再生部９は、区切りを検出すると、区切りを検出した時刻をタイマ制御部１１に通知する。
【００２３】
時刻取得部１０は、コンテンツの区切りの時刻を取得する。コンテンツの区切りの時刻とは、例えば、番組の開始時刻及び終了時刻である。図２（Ａ）に示すように、例えば、時刻ｔ１からｔ２まで番組Ａ、時刻ｔ２からｔ３まで番組Ｂ、時刻ｔ４からｔ５まで番組Ｃが配信され、番組Ｂと番組Ｃとの間にＣＭが放送局より配信される場合を考える。時刻取得部１０は、記憶部７に記憶された番組表データベースを検索可能であり、ｔ１乃至ｔ５を取得する。
【００２４】
タイマ制御部１１は、時刻取得部１０によって取得された区切りの時刻がタイマの設定に基づくタイマ開始時刻からタイマ満了時刻までの設定時間に含まれる場合、その区切りの時刻に、再生部９による再生の終了処理を開始する。より詳細には、タイマ制御部１１は、時刻取得部１０によって取得された区切りの時刻が、設定時間に複数含まれる場合、タイマ満了時刻の直前の区切りの時刻に、再生部９による再生の終了処理を開始する。また、タイマ制御部１１は、時刻取得部１０によって取得された区切りの時刻が、設定時間に含まれない場合、タイマ満了時刻の直後の区切りの時刻に、再生部９による再生の終了処理を開始する。
【００２５】
図２（Ａ）に示すように、例えば、使用者が番組Ａを視聴中の時刻ｔａ（タイマ開始時刻）に設定時間Ｍ（ｔａ−ｔｂ）を設定したとする。タイマ制御部１１は、設定時間Ｍによって定まるタイマ満了時刻ｔｂを時刻取得部１０に通知する。これに対し、時刻取得部１０は、タイマ満了時刻ｔｂに配信される番組Ｃの区切りの時刻ｔ４、ｔ５を取得し、タイマ制御部１１に通知する。ただし、タイマ満了時刻ｔｂと区切りの時刻とが一致する場合、区切りの時刻にタイマが満了して再生部９による再生が終了するので、時刻取得部１０は、区切りの時刻をタイマ制御部１１に通知しなくてもよい。
【００２６】
区切りの時刻ｔ４が設定時間Ｍに含まれるので、図２（Ｂ）に示すように、タイマ制御部１１は、再生部９による再生の終了処理を開始する処理開始時刻をタイマ満了時刻ｔｂの直前の区切りの時刻ｔ４に設定する。この結果、再生部９による再生の終了処理は、タイマ満了時刻ｔｂよりも早い処理開始時刻ｔ４に開始される。
【００２７】
一方、図２（Ａ）に示すように、設定時間Ｎ（ｔａ−ｔｃ）が使用者によって設定された場合、タイマ制御部１１は、時刻取得部１０にタイマ満了時刻ｔｃを通知する。時刻取得部１０は、タイマ満了時刻ｔｃに配信される番組Ａの再生における区切りの時刻ｔ１とｔ２とをタイマ制御部１１に通知する。タイマ制御部１１は、区切りの時刻が設定時間Ｎに含まれないので、図２（Ｂ）に示すように、処理開始時刻をタイマ満了時刻ｔｃの直後の区切りの時刻ｔ２に設定する。この結果、再生部９による再生の終了処理は、タイマ満了時刻ｔｃよりも遅い処理開始時刻ｔ２に開始される。
【００２８】
再生の終了処理の開始について詳細に説明する。再生部９から区切りの時刻が通知されると、タイマ制御部１１は、通知された区切りの時刻が処理開始時刻と一致するかを確認する。通知された区切りの時刻が処理開始時刻と一致する場合、タイマ制御部１１は、再生部９の通知に対して、再生の終了処理を指示する。
【００２９】
タイマ制御部１１は、設定時間に含まれる区切りの時刻に終了処理を開始した場合、コンテンツとともに、コンテンツの再生を終了する旨の情報を再生し、コンテンツの再生を終了する旨の操作入力があると、再生部９による再生を終了する。一方、タイマ制御部１１は、コンテンツの再生を終了する旨の情報を再生した後、所定時間内に操作入力がなければ、再生部９による再生を終了する。
【００３０】
例えば、タイマ制御部１１は、表示部４を介して、図３に示すような確認画面をＣＭとともに再生する。この確認画面によれば、「次の番組の途中で再生が終了します。今すぐ再生を終了しますか？」といったメッセージが表示され、使用者は、「はい」か「いいえ」を選択できる。使用者によって操作部６を介して「はい」が入力されるか、確認画面を再生してから、例えば６０秒以内に操作入力がなければ、タイマ制御部１１は、再生部９による再生を終了する。一方、使用者によって「いいえ」が入力されると、タイマ制御部１１は、再生を終了せずに継続する。
【００３１】
タイマ制御部１１は、再生部９が区切りを検出した時刻と、設定時間に含まれる区切りの時刻との間が、所定時間以内であった場合、終了処理を開始するようにしてもよい。
【００３２】
例えば、図２（Ｃ）に示すように、番組Ｂと番組Ｃとの間にＣＭが再生される場合、処理開始時刻ｔ４に再生の終了処理を開始するよりも、処理開始時刻ｔ４より前のＣＭに切り替わる区切りの時刻ｔ３に再生の終了処理を開始するほうが、消費電力の抑制の点で有利であると考えられる。そこで、タイマ制御部１１は、再生部９から通知された区切りの時刻ｔ３と、処理開始時刻ｔ４との間が、例えば、一般的なＣＭの長さである９０秒以内であった場合、処理開始時刻をｔ３に設定する。この結果、再生部９による再生の終了処理は、ｔ４よりもさらに早いｔ３に開始される。
【００３３】
図４を参照しながら、タイマ制御処理のフローを説明する。設定時間が使用者によって入力されると、タイマ制御部１１は、時刻取得部１０にタイマ満了時刻を通知する（ステップＳ１）。これに対し、時刻取得部１０は、区切りの時刻を取得して、タイマ制御部１１に通知する（ステップＳ２）。時刻取得部１０から通知された区切りの時刻とタイマ満了時刻とが一致しない場合（ステップＳ３；Ｎｏ）、タイマ制御部１１は、処理開始時刻を設定する（ステップＳ４）。
【００３４】
次に、図５を参照しながら、ステップＳ４の処理開始時刻の設定について詳細に説明する。時刻取得部１０から通知された区切りの時刻が設定時間に含まれる場合（ステップＳ４１；Ｙｅｓ）、タイマ制御部１１は、処理開始時刻を、タイマ満了時刻の直前の区切りの時刻に設定する（ステップＳ４２）。続いて、制御部８は、戻ってステップＳ５に進む。一方、区切りの時刻が設定時間に含まれない場合（ステップＳ４１；Ｎｏ）、タイマ制御部１１は、処理開始時刻を、タイマ満了時刻の直後の区切りの時刻に設定する（ステップＳ４３）。続いて、制御部８は、処理開始時刻の設定を終了して、さらにステップＳ５に進む。
【００３５】
処理開始時刻が設定される（ステップＳ４）か、又は区切りの時刻とタイマ満了時刻とが一致する場合（ステップＳ３；Ｙｅｓ）、再生部９は、区切りの時刻になるまで待つ（ステップＳ５；Ｎｏ）。区切りの時刻になると（ステップＳ５；Ｙｅｓ）、再生部９は、タイマ制御部１１に区切りの時刻を通知する（ステップＳ６）。通知された区切りの時刻がタイマ満了時刻若しくは処理開始時刻と一致する、又は処理開始時刻まで９０秒以内の場合（ステップＳ７；Ｙｅｓ）、タイマ制御部１１は、再生終了処理を開始する（ステップＳ８）。一方、通知された区切りの時刻がタイマ満了時刻にも処理開始時刻にも一致せず、かつ処理開始時刻まで９０秒以内でない場合（ステップＳ７；Ｎｏ）、制御部８は、ステップＳ５に戻る。
【００３６】
次に、図６を参照しながら、ステップＳ８の再生終了処理について詳細に説明する。ステップＳ４において、処理開始時刻がタイマ満了時刻の直前の区切りの時刻に調整された場合（ステップＳ８１；Ｙｅｓ）、タイマ制御部１１は、表示部４を介して再生終了の確認画面を再生する（ステップＳ８２）。確認画面において、使用者が「はい」を選択した場合又は確認画面を再生してから６０秒以内に応答がない場合（ステップＳ８３；Ｙｅｓ／応答なし）、タイマ制御部１１は、再生部９による再生を終了する（ステップＳ８４）。
【００３７】
一方、使用者が「いいえ」を選択した場合（ステップＳ８３；Ｎｏ）、タイマ制御部１１は、タイマ満了時刻になるまで待つ（ステップＳ８５；Ｎｏ）。タイマ満了時刻になると（ステップＳ８５；Ｙｅｓ）、タイマ制御部１１は、再生部９による再生を終了する（ステップＳ８４）。
【００３８】
処理開始時刻がタイマ満了時刻の直前の区切りの時刻に設定されなかった場合（ステップＳ８１；Ｎｏ）、すなわち、通知された区切りの時刻がタイマ満了時刻と一致した場合、又はステップＳ４において、処理開始時刻がタイマ満了時刻の直後の区切りの時刻に設定された場合、タイマ制御部１１は、コンテンツの再生を終了する（ステップＳ８４）。コンテンツの再生が終了すると、制御部８は、再生終了処理を終了して、さらにタイマ制御処理を終了する。
【００３９】
上記実施形態１に係る再生装置１００によれば、番組の再生が途中で終了されず、設定時間よりも早めに再生が終了されるので、使用者に不快感を与えずに消費電力をさらに抑制できる。
【００４０】
また、タイマ制御部１１は、設定時間に含まれる区切りの時刻に終了処理を開始した場合、確認画面を再生し、番組の再生を終了する旨の操作入力があると、再生部９による再生を終了するようにした。これにより、タイマ制御部１１は、使用者が番組の再生を継続したい場合に柔軟に対応できる。
【００４１】
また、タイマ制御部１１は、確認画面を再生してから６０秒以内に操作入力がなければ、再生部９による再生を終了するようにした。これにより、例えば、使用者が眠っていたり、再生装置１００から離れており、確認画面に気がつかなかったりした場合でも、タイマ制御部１１は、番組の再生を終了させることができる。この結果、再生装置１００は、消費電力をさらに抑制できる。
【００４２】
（実施形態２）
実施形態２に係る再生装置２００は、コンテンツとしての楽曲ファイルを再生する。再生装置２００では、使用者が所望する順に楽曲ファイルを再生するためのプレイリスト機能を備える。また、再生装置２００は、タイマ機能を備え、タイマ満了時刻に楽曲の再生を終了する。
【００４３】
図７を参照して、本実施形態に係る再生装置２００の構成について説明する。再生装置２００は、音声出力部２１と、表示部２２と、計時部２３と、操作部２４と、記憶部２５と、制御部２６とを備える。これら各部は、第１の実施形態に係る再生装置１００の各部と同様の機能を有する。以下では、第１の実施形態における再生装置１００と本実施形態の再生装置２００との相違点について詳細に説明する。
【００４４】
音声出力部２１は、制御部２６から出力された音声信号に基づいて、音声をスピーカ（不図示）から出力する。
【００４５】
表示部２２は、制御部２６から出力されたデータに基づいて、映像を液晶ディスプレイ（不図示）に表示する。
【００４６】
記憶部２５は、楽曲ファイルを記憶する。さらに、記憶部２５は、プレイリストを記憶し、このプレイリストに基づいて、音楽の開始時間と終了時間等を格納する楽曲データベースを記憶する。
【００４７】
制御部２６は、記憶された楽曲ファイルに基づいてプレイリストを生成する。制御部２６は、生成したプレイリストを記憶部２５に記憶させる。
【００４８】
制御部２６は、再生部２７と、時刻取得部２８と、タイマ制御部２９とを備える。例えば、プレイリスト機能によって、図８に示すように、時間ｔ６からｔ７までに楽曲Ｄ、時間ｔ７からｔ８までに楽曲Ｅ、時間ｔ８からｔ９までに楽曲Ｆが再生されるとする。使用者が楽曲Ｄを視聴中である時刻ｔｄに設定時間Ｐを再生装置２００に入力したとする。この場合、タイマ制御部２９は、設定時間Ｐによって定まるタイマ満了時刻ｔｅを時刻取得部２８に通知する。これに対し、時刻取得部２８は、ｔｅに再生される楽曲Ｆの区切りの時刻ｔ８、ｔ９を取得し、タイマ制御部２９に通知する。設定時間Ｐ（ｔｄ−ｔｅ）に区切りの時刻ｔ８が含まれるので、タイマ制御部２９は、処理開始時刻をタイマ満了時刻ｔｅの直前の区切りの時刻ｔ８に設定する。この結果、再生部２７による再生の終了処理は、タイマ満了時刻ｔｅよりも早い処理開始時刻ｔ８に開始される。
【００４９】
一方、使用者によって設定時間Ｑ（ｔｄ−ｔｆ）が再生装置２００に入力された場合、タイマ制御部２９は、時刻取得部２８にタイマ満了時刻ｔｆを通知する。時刻取得部２８は、タイマ満了時刻ｔｆに再生される楽曲Ｄの区切りの時刻ｔ６、ｔ７を取得し、タイマ制御部２９に通知する。タイマ制御部２９は、区切りの時刻が設定時間Ｑに含まれないので、処理開始時刻をタイマ満了時刻ｔｆの直後の区切りの時刻ｔ７に設定する。この結果、再生部２７による再生の終了処理は、タイマ満了時刻ｔｆよりも遅い処理開始時刻ｔ７に開始される。
【００５０】
タイマ制御部２９は、コンテンツの再生を終了する旨の情報を再生する際、確認画面ではなく、例えば、音声出力部２１を介して、再生終了の確認音声を出力するようにしてもよい。これに対し、使用者は、操作部２４を介して「はい」か「いいえ」を入力する。
【００５１】
本実施形態の再生装置２００におけるタイマ制御処理について説明する。本実施形態におけるタイマ制御処理は、上記実施形態１におけるタイマ制御処理と比較して、ステップＳ８２で確認画面を再生するのではなく、再生終了の確認音声を再生する、という違いがある。これら以外の処理は、上記の実施形態１におけるタイマ制御処理と同じである。
【００５２】
上記実施形態２に係る再生装置２００によれば、楽曲の再生が途中で終了されず、設定時間よりも早めに再生が終了されるので、使用者に不快感を与えずに消費電力をさらに抑制できる。
【００５３】
また、タイマ制御部２９は、設定時間に含まれる区切りの時刻に終了処理を開始した場合、確認音声を再生し、楽曲の再生を終了する旨の操作入力があると、再生部２７による再生を終了するようにした。これにより、タイマ制御部２９は、使用者が楽曲の再生を継続したい場合に柔軟に対応できる。
【００５４】
また、タイマ制御部２９は、確認音声を再生してから６０秒以内に操作入力がなければ、再生部２７による再生を終了するようにした。これにより、例えば、使用者が眠っていたり、再生装置２００から離れており、確認音声に気がつかなかったりした場合でも、楽曲の再生を終了させることができる。この結果、再生装置２００は、消費電力をさらに抑制できる。
【００５５】
（実施形態３）
図９に示すように、実施形態３に係る再生装置３００は、再生部３１と、時刻取得部３２と、タイマ制御部３３とを備える。
【００５６】
再生部３１は、コンテンツを再生する。時刻取得部３２は、コンテンツの区切りの時刻を取得する。タイマ制御部３３は、時刻取得部３２によって取得された区切りの時刻がタイマの設定に基づく第１の時刻から第２の時刻までの設定時間に含まれる場合、その区切りの時刻に、再生部３１による再生の終了処理を開始する。
【００５７】
次に、図１０を参照しながら、本実施形態の再生装置３００におけるタイマ制御処理を説明する。
【００５８】
再生部３１は、コンテンツを再生する（ステップＳ９１）。時刻取得部３２は、コンテンツの区切りの時刻を取得する（ステップＳ９２）。タイマ制御部３３は、時刻取得部３２によって取得された区切りの時刻がタイマの設定に基づく第１の時刻から第２の時刻までの設定時間に含まれる場合、その区切りの時刻に、再生部３１による再生の終了処理を開始する（ステップＳ９３）。
【００５９】
以上、詳細に説明したように、上記各実施形態の再生装置１００、２００、３００は、コンテンツの再生が途中で終了されず、設定時間よりも早めに再生が終了されるので、使用者に不快感を与えずに消費電力をさらに抑制できる。
【００６０】
なお、タイマ制御部１１、２９は、確認画面、確認音声を再生してから、所定時間として６０秒以内に操作入力がなければ、再生部９、２７による再生を終了するようにした。この所定時間は、３０秒、１０秒、１分等であってもよいし、使用者が設定できるようにしてもよい。
【００６１】
なお、上記実施形態１、２では、使用者が設定時間を入力した時刻をタイマ開始時刻とし、設定時間経過後の時刻をタイマ満了時刻としたが、タイマ開始時刻と、タイマ満了時刻が、あらかじめ設定されていてもよい。また、再生装置１００、２００は、所定の時間操作されない状態になると、コンテンツの再生を終了してもよい。
【００６２】
なお、上記各実施形態では、処理開始時刻になると、コンテンツの再生を終了するようにしたが、これに限らず、処理開始時刻になると、再生装置再生装置１００、２００の電源をオフにするようにしてもよい。
【００６３】
なお、実施形態１では、再生装置１００は、ワンセグの番組を再生するようにしたが、１２セグメントを使った地上デジタルテレビ放送（いわゆるフルセグ）で配信される番組、ＣＭをコンテンツとして再生するようにしてもよい。
【００６４】
なお、タイマ制御部１１、２９は、再生部９、２７が区切りを検出した時刻と、設定時間に含まれる区切りの時刻との間が、所定時間以内であった場合、終了処理を開始するが、この所定時間は、９０秒に限らず、６０秒、３０秒、１５秒等であってもよい。また、タイマ制御部１１は、放送局から配信されるデータ放送信号に含まれる情報から特定されたＣＭの時間帯に関する情報に基づいて、所定時間を設定してもよい。
【００６５】
また、再生装置１００は、地上デジタルテレビ放送で配信される番組に限らず、録画した動画コンテンツ、ネットワーク上の動画コンテンツ、ＤＶＤ（Digital Versatile Disc）に記録された動画コンテンツ等を再生してもよい。また、タイマ制御部１１は、表示部４を介して再生終了の確認画面を再生するようにしたが、音声出力部３を介して、再生終了の確認音声を再生してもよいし、確認画面の再生と確認音声の再生とをあわせて行ってもよい。
【００６６】
なお、再生装置２００は、記憶された楽曲ファイルの再生に限らず、ＣＤ（Compact Disc）、ＤＶＤ等の記憶媒体からの再生、ネットワーク上のデータの再生であってもよい。また、タイマ制御部２９は、音声出力部２１を介して再生終了の確認音声を出力するようにしたが、表示部２２に確認メッセージ等を表示してもよいし、確認音声の出力と確認メッセージの表示とをあわせて行ってもよい。
【００６７】
なお、再生装置１００、２００は、携帯端末、スマートフォン、ＰＨＳ（Personal Handy-phone System）、ＰＤＡ（Personal Digital Assistant）、ＰＣ（Personal Computer）、タブレットＰＣ、ノートＰＣ、ゲーム機等であってもよい。
【００６８】
なお、上記実施形態において、実行されるプログラムは、フレキシブルディスク、ＣＤ−ＲＯＭ（Compact Disc Read-Only Memory）、ＤＶＤ、ＭＯ（Magneto-Optical disc）等のコンピュータ読み取り可能な記録媒体に格納して配布し、そのプログラムをインストールすることにより、上述の処理を実行するシステムを構成することとしてもよい。
【００６９】
また、プログラムをインターネット等の通信ネットワーク上の所定のサーバ装置が有するディスク装置等に格納しておき、例えば、搬送波に重畳させて、ダウンロード等するようにしてもよい。
【００７０】
また、上述の機能を、ＯＳ（Operating System）が分担して実現する場合又はＯＳとアプリケーションとの協働により実現する場合等には、ＯＳ以外の部分のみを上述の記憶媒体に格納して配布してもよく、また、ダウンロード等してもよい。
【００７１】
本発明は、本発明の広義の精神と範囲を逸脱することなく、様々な実施形態及び変形が可能とされるものである。また、上述した実施形態は、本発明を説明するためのものであり、本発明の範囲を限定するものではない。すなわち、本発明の範囲は、実施形態ではなく、特許請求の範囲によって示される。そして、特許請求の範囲内及びそれと同等の発明の意義の範囲内で施される様々な変形が、本発明の範囲内とみなされる。
【００７２】
上記の実施形態の一部又は全部は、以下の付記のようにも記載されうるが、以下には限られない。
【００７３】
（付記１）
コンテンツを再生する再生部と、
前記コンテンツの区切りの時刻を取得する時刻取得部と、
前記時刻取得部によって取得された前記区切りの時刻がタイマの設定に基づく第１の時刻から第２の時刻までの設定時間に含まれる場合、その区切りの時刻に、前記再生部による再生の終了処理を開始するタイマ制御部と、
を備える再生装置。
【００７４】
（付記２）
前記タイマ制御部は、
前記時刻取得部によって取得された前記区切りの時刻が、前記設定時間に複数含まれる場合、前記第２の時刻の直前の前記区切りの時刻に、前記再生部による再生の終了処理を開始する、
ことを特徴とする付記１に記載の再生装置。
【００７５】
（付記３）
前記タイマ制御部は、
前記時刻取得部によって取得された前記区切りの時刻が、前記設定時間に含まれない場合、前記第２の時刻の直後の前記区切りの時刻に、前記再生部による再生の終了処理を開始する、
ことを特徴とする付記１又は２に記載の再生装置。
【００７６】
（付記４）
前記タイマ制御部は、
前記設定時間に含まれる前記区切りの時刻に前記終了処理を開始した場合、前記コンテンツとともに、前記コンテンツの再生を終了する旨の情報を再生し、
前記コンテンツの再生を終了する旨の操作入力があると、前記再生部による再生を終了し、
前記コンテンツの再生を終了する旨の情報を再生した後、所定時間内に前記操作入力がなければ、前記再生部による再生を終了する、
ことを特徴とする付記１乃至３のいずれか１つに記載の再生装置。
【００７７】
（付記５）
前記タイマ制御部は、
前記コンテンツの再生を継続する旨の操作入力があると、前記第２の時刻に前記再生部による再生を終了する、
ことを特徴とする付記４に記載の再生装置。
【００７８】
（付記６）
前記再生部は、
前記コンテンツの区切りを検出し、
前記タイマ制御部は、
前記再生部が前記区切りを検出した時刻と、前記設定時間に含まれる前記区切りの時刻との間が、所定時間以内であった場合、前記終了処理を開始する、
ことを特徴とする付記１乃至５のいずれか１つに記載の再生装置。
【００７９】
（付記７）
コンテンツを再生する再生工程と、
前記コンテンツの区切りの時刻を取得する時刻取得工程と、
前記時刻取得工程において取得された前記区切りの時刻がタイマの設定に基づく第１の時刻から第２の時刻までの設定時間に含まれる場合、その区切りの時刻に、前記再生工程における再生の終了処理を開始するタイマ制御工程と、
を含む再生方法。
【００８０】
（付記８）
コンピュータを、
コンテンツを再生する再生部、
前記コンテンツの区切りの時刻を取得する時刻取得部、
前記時刻取得部によって取得された前記区切りの時刻がタイマの設定に基づく第１の時刻から第２の時刻までの設定時間に含まれる場合、その区切りの時刻に、前記再生部による再生の終了処理を開始するタイマ制御部、
として機能させるプログラムを記録したコンピュータ読取可能な記録媒体。
【００８１】
本発明は、２０１１年５月１２日に出願された日本国特許出願２０１１−１０７４０３号に基づく。本明細書中に日本国特許出願２０１１−１０７４０３号の明細書、特許請求の範囲、図面全体を参照として取り込むものとする。
【産業上の利用可能性】
【００８２】
本発明は、オフタイマ機能を用いて、使用者に不快感を与えずに消費電力を抑制可能なコンテンツの再生装置を実現する各分野に応用することができる。
【符号の説明】
【００８３】
１  チューナ
２  デコーダ
３、２１  音声出力部
４、２２  表示部
５、２３  計時部
６、２４  操作部
７、２５  記憶部
８、２６  制御部
９、２７、３１  再生部
１０、２８、３２  時刻取得部
１１、２９、３３  タイマ制御部
１００、２００、３００  再生装置
【図１】
2012153801.tif 000003
【図２】
2012153801.tif 000004
【図３】
2012153801.tif 000005
【図４】
2012153801.tif 000006
【図５】
2012153801.tif 000007
【図６】
2012153801.tif 000008
【図７】
2012153801.tif 000009
【図８】
2012153801.tif 000010
【図９】
2012153801.tif 000011
【図１０】
2012153801.tif 000012
【手続補正書】
【提出日】平成25年8月1日(2013.8.1)
【手続補正２】
【補正対象書類名】明細書
【補正対象項目名】０００１
【補正方法】変更
【補正の内容】
【０００１】
本発明は、コンテンツを再生する再生装置、再生方法及びプログラムに関する。
【手続補正３】
【補正対象書類名】明細書
【補正対象項目名】０００５
【補正方法】変更
【補正の内容】
【０００５】
本発明は、上記実情に鑑みてなされたものであり、使用者に不快感を与えずに消費電力をさらに抑制できる再生装置、再生方法及びプログラムを提供することを目的とする。
【手続補正４】
【補正対象書類名】明細書
【補正対象項目名】０００８
【補正方法】変更
【補正の内容】
【０００８】
また、本発明の第３の観点に係るプログラムは、
コンピュータを、
コンテンツを再生する再生部、
前記コンテンツの区切りの時刻を取得する時刻取得部、
前記時刻取得部によって取得された前記区切りの時刻がタイマの設定に基づく第１の時刻から第２の時刻までの設定時間に含まれる場合、その区切りの時刻に、前記再生部による再生の終了処理を開始するタイマ制御部、
として機能させることを特徴とする。
【手続補正５】
【補正対象書類名】特許請求の範囲
【補正対象項目名】請求項８
【補正方法】変更
【補正の内容】
【請求項８】
コンピュータを、
コンテンツを再生する再生部、
前記コンテンツの区切りの時刻を取得する時刻取得部、
前記時刻取得部によって取得された前記区切りの時刻がタイマの設定に基づく第１の時刻から第２の時刻までの設定時間に含まれる場合、その区切りの時刻に、前記再生部による再生の終了処理を開始するタイマ制御部、
として機能させるプログラム。
【国際調査報告】
2012153801.tif 000013
2012153801.tif 000014
2012153801.tif 000015
2012153801.tif 000016